【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
情報処理装置と通信可能な通信装置であって、
前記情報処理装置と第１の通信方式によって接続可能な第１状態及び、前記情報処理装置と前記第１の通信方式によって接続しない第２状態のうちいずれかの状態で、前記通信装置を動作させる第１設定手段と、
前記第１状態で動作している前記通信装置が前記第１の通信方式により接続している前記情報処理装置から取得される情報に基づいて、前記通信装置と他の装置との間の接続に関する接続設定処理を実行する第２設定手段と、
を有し、
前記通信装置が前記第１の通信方式と異なる第２の通信方式によって前記情報処理装置と接続している状態では、前記通信装置は前記第１状態で動作させられないことを特徴とする通信装置。
【請求項２】
前記第１状態で前記通信装置が動作している状態で、前記通信装置が前記第２の通信方式によって前記情報処理装置と接続した場合、前記通信装置は前記第２状態で動作させられることを特徴とする請求項１に記載の通信装置。
【請求項３】
前記通信装置が前記第２の通信方式によって前記情報処理装置と接続している場合、前記通信装置を前記第１状態で動作させるか否かを問う画面を表示部に表示させる表示手段を更に有し、
前記画面を介した、前記通信装置を前記第１状態で動作させるための入力に応じて、前記通信装置が前記第２の通信方式によって前記情報処理装置と接続している状態であっても、前記通信装置が前記第１状態で動作させられることを特徴とする請求項１又は２に記載の通信装置。
【請求項４】
前記第１の通信方式は、無線通信方式であり、前記第２の通信方式は、有線通信方式であることを特徴とする請求項１乃至３のいずれか１項に記載の通信装置。
【請求項５】
前記第１の通信方式は、ＩＥＥＥ８０２．１１シリーズに準拠した無線通信方式であることを特徴とする請求項１乃至４のいずれか１項に記載の通信装置。
【請求項６】
前記第２の通信方式は、ＵＳＢによる有線通信方式であることを特徴とする請求項１乃至５のいずれか１項に記載の通信装置。
【請求項７】
前記第１状態で動作している前記通信装置が前記第１の通信方式により接続している前記情報処理装置から取得される情報に、前記通信装置の外部及び前記情報処理装置の外部の外部アクセスポイントに関する情報が含まれる場合、前記接続設定処理として、前記外部アクセスポイントに関する情報に基づいて前記通信装置が前記外部アクセスポイントと接続する処理が実行されることを特徴とする請求項１乃至６のいずれか１項に記載の通信装置。
【請求項８】
前記第１状態で動作している前記通信装置が前記第１の通信方式により接続している前記情報処理装置から取得される情報に、前記通信装置の外部及び前記情報処理装置の外部の外部アクセスポイントに関する情報が含まれない場合、前記接続設定処理として、前記情報処理装置と前記通信装置とが直接的に接続するための処理が実行されることを特徴とする請求項１乃至７のいずれか１項に記載の通信装置。
【請求項９】
前記接続設定処理として、ＩＥＥＥ８０２．１１シリーズに準拠した無線通信方式を用いて前記他の装置と接続するための処理が実行されることを特徴とする請求項１乃至８のいずれか１項に記載の通信装置。
【請求項１０】
前記第１状態は、前記通信装置内のアクセスポイントが有効にされている状態であり、前記第１状態は、前記通信装置内のアクセスポイントが無効にされている状態であることを特徴とする請求項１乃至９のいずれか１項に記載の通信装置。
【請求項１１】
前記通信装置が前記第２の通信方式によって前記情報処理装置と接続しているか否かを判定する判定手段をさらに有し、
前記通信装置が前記第２の通信方式によって前記情報処理装置と接続していると判定された場合、前記通信装置は前記第１状態で動作させられず、前記通信装置が前記第２の通信方式によって前記情報処理装置と接続していないと判定されたことに基づいて、前記通信装置は前記第１状態で動作させられることを特徴とする請求項１乃至１０のいずれか１項に記載の通信装置。
【請求項１２】
前記通信装置に対する初期設定が完了していない状態において前記通信装置の電源が投入されたことに基づいて、前記判定が実行されることを特徴とする請求項１１に記載の通信装置。
【請求項１３】
さらに、前記情報処理装置から受信したデータに基づき画像を印刷する印刷手段を有することを特徴とする請求項１乃至１２のいずれか１項に記載の通信装置。
【請求項１４】
情報処理装置と通信可能な通信装置の制御方法であって、
前記情報処理装置と第１の通信方式によって接続可能な第１状態及び、前記情報処理装置と前記第１の通信方式によって接続しない第２状態のうちいずれかの状態で、前記通信装置を動作させる第１設定ステップと、
前記第１状態で動作している前記通信装置が前記第１の通信方式により接続している前記情報処理装置から取得される情報に基づいて、前記通信装置と他の装置との間の接続に関する接続設定処理を実行する第２設定ステップと、
を有し、
前記通信装置が前記第１の通信方式と異なる第２の通信方式によって前記情報処理装置と接続している状態では、前記通信装置は前記第１状態で動作させられないことを特徴とする制御方法。
【請求項１５】
コンピュータを、請求項１乃至１３のいずれか１項に記載の通信装置の各手段として動作させるためのプログラム。
【請求項１６】
情報処理装置と通信可能な通信装置であって、
前記情報処理装置と第１の通信方式によって接続可能な第１状態及び、前記情報処理装置と前記第１の通信方式によって接続しない第２状態のうちいずれかの状態で、前記通信装置を動作させる第１設定手段と、
前記第１状態で動作している前記通信装置が前記第１の通信方式により接続している前記情報処理装置から取得される情報に基づいて、前記通信装置と他の装置との間の接続に関する接続設定処理を実行する第２設定手段と、
前記第１状態で前記通信装置が動作している状態で、前記通信装置が前記第２の通信方式によって前記情報処理装置と接続した場合、前記通信装置を前記第２状態で動作させる第３設定手段と、を有することを特徴とする通信装置。
【請求項１７】
前記通信装置が前記第２の通信方式によって前記情報処理装置と接続している場合、前記通信装置を前記第１状態で動作させるか否かを問う画面を表示部に表示させる表示手段を更に有し、
前記画面を介した、前記通信装置を前記第１状態で動作させるための入力に応じて、前記通信装置が前記第２の通信方式によって前記情報処理装置と接続している状態であっても、前記通信装置が前記第１状態で動作させられることを特徴とする請求項１６に記載の通信装置。
【請求項１８】
前記第１の通信方式は、無線通信方式であり、前記第２の通信方式は、有線通信方式であることを特徴とする請求項１６又は１７に記載の通信装置。
【請求項１９】
前記第１の通信方式は、ＩＥＥＥ８０２．１１シリーズに準拠した無線通信方式であることを特徴とする請求項１６乃至１８のいずれか１項に記載の通信装置。
【請求項２０】
前記第２の通信方式は、ＵＳＢによる有線通信方式であることを特徴とする請求項１６乃至１９のいずれか１項に記載の通信装置。
【請求項２１】
前記第１状態で動作している前記通信装置が前記第１の通信方式により接続している前記情報処理装置から取得される情報に、前記通信装置の外部及び前記情報処理装置の外部の外部アクセスポイントに関する情報が含まれる場合、前記接続設定処理として、前記外部アクセスポイントに関する情報に基づいて前記通信装置が前記外部アクセスポイントと接続する処理が実行されることを特徴とする請求項１６乃至２０のいずれか１項に記載の通信装置。
【請求項２２】
前記第１状態で動作している前記通信装置が前記第１の通信方式により接続している前記情報処理装置から取得される情報に、前記通信装置の外部及び前記情報処理装置の外部の外部アクセスポイントに関する情報が含まれない場合、前記接続設定処理として、前記情報処理装置と前記通信装置とが直接的に接続するための処理が実行されることを特徴とする請求項１６乃至２１のいずれか１項に記載の通信装置。
【請求項２３】
前記接続設定処理として、ＩＥＥＥ８０２．１１シリーズに準拠した無線通信方式を用いて前記他の装置と接続するための処理が実行されることを特徴とする請求項１６乃至２２のいずれか１項に記載の通信装置。
【請求項２４】
前記第１状態は、前記通信装置内のアクセスポイントが有効にされている状態であり、前記第１状態は、前記通信装置内のアクセスポイントが無効にされている状態であることを特徴とする請求項１６乃至２３のいずれか１項に記載の通信装置。
【請求項２５】
前記通信装置に対する初期設定が完了していない状態において前記通信装置の電源が投入されたことに基づいて、前記通信装置が前記第２の通信方式によって前記情報処理装置と接続しているか否かを判定する判定手段をさらに有し、
前記通信装置が前記第２の通信方式によって前記情報処理装置と接続していると判定された場合、前記通信装置は前記第１状態で動作させられず、前記通信装置が前記第２の通信方式によって前記情報処理装置と接続していないと判定されたことに基づいて、前記通信装置は前記第１状態で動作させられることを特徴とする請求項１６乃至２４のいずれか１項に記載の通信装置。
【請求項２６】
さらに、前記情報処理装置から受信したデータに基づき画像を印刷する印刷手段を有することを特徴とする請求項１６乃至２５のいずれか１項に記載の通信装置。
【請求項２７】
情報処理装置と通信可能な通信装置の制御方法であって、
前記情報処理装置と第１の通信方式によって接続可能な第１状態及び、前記情報処理装置と前記第１の通信方式によって接続しない第２状態のうちいずれかの状態で、前記通信装置を動作させる第１設定ステップと、
前記第１状態で動作している前記通信装置が前記第１の通信方式により接続している前記情報処理装置から取得される情報に基づいて、前記通信装置と他の装置との間の接続に関する接続設定処理を実行する第２設定ステップと、
前記第１状態で前記通信装置が動作している状態で、前記通信装置が前記第２の通信方式によって前記情報処理装置と接続した場合、前記通信装置を前記第２状態で動作させる第３設定ステップと、を有することを特徴とする通信装置。
【請求項２８】
コンピュータを、請求項１６乃至２６のいずれか１項に記載の通信装置の各手段として動作させるためのプログラム。
【手続補正２】
【補正対象書類名】明細書
【補正対象項目名】０００６
【補正方法】変更
【補正の内容】
【０００６】
そこで、上記目的を達成するために、本発明の通信装置は、情報処理装置と通信可能な通信装置であって、前記情報処理装置と第１の通信方式によって接続可能な第１状態及び、前記情報処理装置と前記第１の通信方式によって接続しない第２状態のうちいずれかの状態で、前記通信装置を動作させる第１設定手段と、前記第１状態で動作している前記通信装置が前記第１の通信方式により接続している前記情報処理装置から取得される情報に基づいて、前記通信装置と他の装置との間の接続に関する接続設定処理を実行する第２設定手段と、を有し、前記通信装置が前記第１の通信方式と異なる第２の通信方式によって前記情報処理装置と接続している状態では、前記通信装置は前記第１状態で動作させられないことを特徴とする。また、本発明の通信装置は、情報処理装置と通信可能な通信装置であって、前記情報処理装置と第１の通信方式によって接続可能な第１状態及び、前記情報処理装置と前記第１の通信方式によって接続しない第２状態のうちいずれかの状態で、前記通信装置を動作させる第１設定手段と、前記第１状態で動作している前記通信装置が前記第１の通信方式により接続している前記情報処理装置から取得される情報に基づいて、前記通信装置と他の装置との間の接続に関する接続設定処理を実行する第２設定手段と、前記前記第１状態で前記通信装置が動作している状態で、前記通信装置が前記第２の通信方式によって前記情報処理装置と接続した場合、前記通信装置を前記第２状態で動作させる第３設定手段と、を有することを特徴とする。